(57)【要約】【課題】本発明は、金融機関等に設置される媒体発行装置に関し、媒体発行装置の顧客サービス運用を停止させることなく、いずれのカセットにも補充媒体を補充できる媒体発行装置を提供する。【解決手段】カセット３ａ，３ｂ　は、外部から挿入された補充媒体１ｂを受け入れる受入口５，５ｂと、補充媒体１ｂの搬送下流側に隣接したカセットの受入口５ｂに補充媒体１ｂを送り渡すための移送口１０ａ，１０ｂ　と、受入口５，５ｂから受け入れた補充媒体１ｂの搬送方向を媒体収納部側または移送口側のいずれかへ切り換える方向切換手段６ａ，６ｂ　とを有し、方向切換手段６ａ，６ｂ　で搬送方向が媒体収納部側へ切り換えられた補充媒体１ｂを搬送して媒体収納部８ａ，８ｂ　に収納させる第１の搬送手段７ａ，７ｂ　と、方向切換手段６ａ，６ｂ　で搬送方向が移送口側へ切り換えられた補充媒体１ｂを搬送して移送口１０ａ，１０ｂ　から排出させる第２の搬送手段９ａ，９ｂ　とを更に有する。【選択図】　　　図１
2004054613.tif 000002
【特許請求の範囲】
【請求項１】
媒体収納部および繰出口を有するカセットであって、
前記カセットは、
外部から挿入された補充媒体を受け入れる受入口と、
隣接したカセットの受入口に前記補充媒体を送り渡すための移送口と、
受入口から受け入れた前記補充媒体の搬送方向を、媒体収納部側または移送口側のいずれかへ切り換える方向切換手段と、
方向切換手段で搬送方向が媒体収納部側へ切り換えられた前記補充媒体を、搬送して媒体収納部に収納させる第１の搬送手段と、
方向切換手段で搬送方向が移送口側へ切り換えられた前記補充媒体を、搬送して移送口から排出させる第２の搬送手段と、
を有することを特徴とする第１のカセット。
【請求項２】
媒体収納部および繰出口を有するカセットであって、
前記カセットは、
隣接したカセットの移送口から排出された補充媒体を受け入れる受入口と、
受入口から受け入れた前記補充媒体を、搬送して媒体収納部に収納させる第１の搬送手段と、
を有することを特徴とする第２のカセット。
【請求項３】
媒体収納部および繰出口を有するカセットから繰り出される媒体に所定データを印字して排出する媒体プリンタ部を備える媒体発行装置において、
請求項１記載の第１のカセットまたは請求項２記載の第２のカセットを有することを特徴とする媒体発行装置。
【発明の詳細な説明】
【０００１】
【発明の属する技術分野】
本発明は、金融機関等に設置されるＡＴＭ（現金自動預入支払機）や通帳繰越機、証書発行機などの媒体発行装置に関し、特に、媒体発行装置の顧客サービス運用を停止させることなく、取引上の所定データを印字するための媒体（通帳、単票、証書等。以下、媒体と称す）を媒体収納カセット（以下、カセットと称す）内に補充できる媒体発行装置に関する。
【０００２】
近年、媒体発行装置には、多数金融機関対応と無休止顧客サービス運用の要求が増加している。しかも、金融機関の合併などによって特定の媒体（特に、合併後の新規通帳）に集中して新規媒体の発行が一時的に増加することがある。そのようなことから、媒体発行装置に必要とされる媒体種類の増加に伴ってカセット数が増加するものの、媒体発行装置の大型化を避けることから各カセットの媒体収納容量は小さくなる傾向にある。そのことから、顧客サービス運用中に必要媒体の不足を来し、顧客運用途中に媒体補充が必要になる事態が増えて来ている。そのため、媒体発行装置の顧客サービス運用を停止させることなく、多数あるカセットの内の所望のカセットに補充媒体を補充できることが望まれている。
【０００３】
【従来の技術】
従来の技術について、以下、図面を参照して説明する。図６は従来の媒体発行装置の構成図、図７は従来の媒体発行装置の外観側面図（断面図）である。
図６において、媒体発行装置２２は、顧客により挿入口２４１から挿入された既に発行済みの発行媒体１ａを吸入して媒体プリンタ部２４の搬送路２４２上に搬送し、ＭＳ部２４３で発行媒体１ａ上の磁気ストライプを読み取り、発行媒体１ａ　の認識を行う。その後、光学スキャナ部２４４にて発行媒体１ａ　の開かれているページ上のページマークを読み取り、その確認に基づいて印字部２４５にて所定の印字行に所定データを印字する。
【０００４】
前記所定データの印字が他ページ（説明の便宜上、次ページとする）にまたがる場合には、発行媒体１ａ　をターンページ部２４６に搬送してページ捲りを行った後、再度、光学スキャナ部２４４に送り戻して、ページ捲りされた後の所定ページ上のページマークを読み取って確認し、引き続いて印字部２４５にて所定の印字行に所定データを印字する。
【０００５】
なお、前記所定データの印字が次ページにまたがると判断された場合、その時点のページが既に最終ページであった場合には、その最終ページ印字済みの発行媒体１ａ　を、搬送路２４２上に位置する図示していない媒体退避部に一時的に退避させる。次に、前記最終ページ印字済みの発行媒体１ａ　の代わりとして、新規媒体が収納されているカセット２３−１，２３−２，２３−ｎ　の内、発行媒体１ａ　に対応する所定の新規媒体が収納されているカセット（説明の便宜上、カセット２３−１とする）から、前記新規媒体を媒体プリンタ部２４に供給する。
【０００６】
その場合、図示していない繰出ローラによってカセット２３−１内の媒体収納部２８−１から繰出口２１１−１を通じて前記新規媒体が繰り出され、媒体プリンタ部２４の搬送路２４２上へ搬送される。媒体プリンタ部２４では、カセット２３−１から搬送されて来た前記新規媒体上の磁気ストライプをＭＳ部２４３で読み取り、新規通帳であることを確認した後、印字部２４５にてその表紙に所定データを印字する。
【０００７】
次に、ターンページ部２４６に搬送して表紙捲りと所定ページへのページ捲りを行った後、再度、光学スキャナ部２４４に送り戻して、ページ捲りされた後の所定ページ上のページマークを読み取って確認し、印字部２４５にて所定の印字行に所定データを印字するとともに、ＭＳ部２４３にて磁気ストライプに所定データを記録した後、挿入口２４１へと搬送し、新規発行の発行媒体１ａ　として挿入口２４１から排出する。
【０００８】
なお、それまで前記媒体退避部に退避させられていた最終ページ印字済みの発行媒体１ａ　は、前記新規発行の発行媒体１ａ　の挿入口２４１からの排出に引き続いて排出される。
以上の媒体発行装置２２において、カセット２３−１，２３−２，２３−ｎ　内に収納されていた新規媒体が不足状態になった場合、その装置の管理や保守を任された金融機関関係者や委託保守管理者など（以下、行員と称す）による新規媒体の補充作業が必要になる。以下、図７を参照して説明する。
【０００９】
図７において、媒体発行装置２２内のカセット２３−１，２３−２，２３−３，２３−４のいずれか（説明の便宜上、カセット２３−２とする）に新規媒体を補充するために、行員は先ず、媒体発行装置２２の顧客サービス運用を一時的に停止させる。その後、カセット２３−２に媒体補充の作業ができるように、媒体発行装置２２の行員操作面側（顧客操作面の反対側）から、少なくともカセット２３−２が媒体発行装置２２本体から露出するまで（Ａ状態）、各カセット２３−１，２３−２，２３−３，２３−４が一連搭載された媒体発行ブロック１５を引き出す。
【００１０】
媒体発行装置２２はその運用目的上、装置前面側にある顧客操作面の左右に相互隣接して多数設置することが望まれるため、行員操作面は装置側面側にではなく装置裏面側（顧客操作面の反対側）に設けられている。それによって各カセットは通常、媒体発行装置２２の奥行き方向（顧客操作面と行員操作面を結ぶ方向）に縦列配置されることから、行員操作面側からのカセット操作性向上のため、一般的にカセット複数（例えば４カセット）を縦列搭載させた媒体発行ブロック１５を用いている。
【００１１】
カセット数が多数要求される場合には、媒体発行ブロックを複数設け、それらを例えば上下方向に積層した構造などにしている。また、図中では媒体発行ブロック１５と媒体プリンタ部２４とは結合構造になっているが、分離構造になっているものもある。
前記引き出された（Ａ状態）媒体発行ブロック１５上のカセット２３−２は、媒体発行ブロック１５から着脱可能な構造になっており、行員は取り外したカセット２３−２内の媒体収納部に新規媒体を補充する。その後は、上記手順の逆手順により、カセット２３−２、媒体発行ブロック１５の順に元の状態に戻す。その後、行員は、それまで顧客サービス運用を一時停止させていた媒体発行装置２２を再起動し、顧客サービス運用を再開させる。
【００１２】
なお、行員操作面側に一番近いカセット２３−１だけは、媒体発行ブロック１５を引き出すことなく、行員操作面側からカセット２３−１の上部フタまたは側部フタなどを開いて媒体収納部への媒体補充作業ができる構造のものがある。そのため、カセット２３−１が補充対象のときだけは、媒体発行装置２２の顧客サービス運用を一時停止させることなく、媒体補充作業が行える。
【００１３】
また、カセット２３−１以外の各カセットについては、媒体発行ブロック１５から着脱可能な構造にはせず、例えば各カセットの上部にフタを設け、そのフタを開いて媒体収納部へ媒体補充を行うようにしたものもある。
【００１４】
【発明が解決しようとする課題】
前述したように、従来の方法では、媒体発行装置２２の顧客サービス運用中に、行員操作面側に一番近いカセット２３−１に収納されている媒体とは異なる種類の媒体のためのカセットに媒体補充が必要になったとき、媒体補充対象カセットが搭載されている媒体発行ブロック１５を媒体発行装置２２から引き出さなければ媒体補充作業ができないことから、媒体発行装置２２の顧客サービス運用が一時的に停止させられ、顧客サービスが低下するという問題がある。
【００１５】
また、各カセットへの媒体補充に、媒体発行装置２２からの媒体発行ブロック１５の引き出しや、媒体発行ブロック１５からのカセットの脱着またはカセット上部フタの開閉などの作業を伴うために、所望のカセットへの媒体補充終了後、逆手順で元の装置状態に戻す際、その作業途中でのセットや差込みの不良などが原因し、媒体発行装置２２の再起動時にセット不良などのエラーが発生して再起動に手間取り、更に顧客サービスの低下を招くという問題がある。
【００１６】
そこで本発明は、媒体発行装置の顧客サービス運用を停止させることなく、いずれのカセットにも補充媒体を補充できる媒体発行装置を提供することを目的とする。
【００１７】
【課題を解決するための手段】
請求項１の発明は、媒体収納部および繰出口を有するカセットであって、前記カセットは、外部から挿入された補充媒体を受け入れる受入口と、前記補充媒体の搬送下流側に隣接したカセットの受入口に前記補充媒体を送り渡すための移送口と、受入口から受け入れた前記補充媒体の搬送方向を、媒体収納部側または移送口側のいずれかへ切り換える方向切換手段とを有する。
【００１８】
更に前記カセットは、方向切換手段で搬送方向が媒体収納部側へ切り換えられた前記補充媒体を、搬送して媒体収納部に収納させる第１の搬送手段と、方向切換手段で搬送方向が移送口側へ切り換えられた前記補充媒体を、搬送して移送口から排出させる第２の搬送手段とを有する構成とした第１のカセットである。
請求項２の発明は、媒体収納部および繰出口を有するカセットであって、前記カセットは、前記補充媒体の搬送上流側に隣接したカセットの移送口から排出された補充媒体を受け入れる受入口と、受入口から受け入れた前記補充媒体を、搬送して媒体収納部に収納させる第１の搬送手段とを有する構成とした第２のカセットである。
【００１９】
請求項３の媒体発行装置は、媒体収納部および繰出口を有するカセットから繰り出される媒体に所定データを印字して排出する媒体プリンタ部を備え、前記第１のカセットまたは前記第２のカセットを有する構成である。
本発明の構成の媒体発行装置によれば、補充媒体搬送の最上流側に位置するカセットの受入口から挿入された外部からの補充媒体を、搬送下流側のカセットに向けて各カセット内を順次通過させることで、前記補充媒体を所望のカセットの媒体収納部に収納できるようになる。
【００２０】
したがって、いずれのカセットへの媒体補充においても、各カセットが搭載されている媒体発行ブロックを媒体発行装置から引き出すことなく、補充媒体を所望のカセットに収納できるため、媒体発行装置の顧客サービス運用を停止させることなく媒体補充ができる。
【００２１】
【発明の実施の形態】
以下、本発明の実施の形態について、図面を参照して説明する。図１は、本発明の媒体発行装置の原理構成図である。
図１において、媒体発行装置２は、第１のカセット３ａ　および１つ以上の第２のカセット３ｂ−１，３ｂ−ｎを有するカセット群と、媒体プリンタ部４とを備えて構成される。媒体プリンタ部４は、前述した従来の媒体発行装置２２の媒体プリンタ部２４に同等の構成か、または前記媒体プリンタ部２４と同等に機能する構成である。
【００２２】
第１のカセット３ａ　は、外部からの補充媒体１ｂ　が挿入される受入口であるところの補充挿入口５と、補充挿入口５から挿入された前記補充媒体１ｂ　の搬送方向を媒体収納部８ａ　側または移送口１０ａ　側のいずれかへ切り換える方向切換手段６ａ　と、挿入された前記補充媒体１ｂ　を当カセットに隣接した搬送下流側の第２のカセット３ｂ−１へ送り渡すための移送口１０ａ　とを備える。
【００２３】
更に、方向切換手段６ａ　で搬送方向が媒体収納部８ａ　側へ切り換えられた前記補充媒体１ｂ　を搬送させて媒体収納部８ａ　に収納させる第１の搬送手段７ａ　と、方向切換手段６ａ　で搬送方向が移送口１０ａ　側へ切り換えられた前記補充媒体１ｂ　を搬送させて移送口１０ａ　から排出させる第２の搬送手段９ａ　と、第１の搬送手段７ａ　で搬送されてきた前記補充媒体１ｂ　を収納する媒体収納部８ａ　と、媒体収納部８ａ　から繰り出される収納媒体を媒体プリンタ部４へ供給するために当カセット外に排出するための繰出口１１ａ　とを備えて構成される。
【００２４】
第２のカセット３ｂ−１は、当カセットに隣接した搬送上流側のカセットの移送口１０ａ　から排出された補充媒体１ｂ　が搬入される受入口５ｂ−１と、受入口５ｂ−１から搬入された前記補充媒体１ｂ　の搬送方向を媒体収納部８ｂ−１側または移送口１０ｂ−１側のいずれかへ切り換える方向切換手段６ｂ−１と、搬入された前記補充媒体１ｂ　を当カセットに隣接した搬送下流側の第２のカセット３ｂ−ｎへ送り渡すための移送口１０ｂ−１とを備える。
【００２５】
更に、方向切換手段６ｂ−１で搬送方向が媒体収納部８ｂ−１側へ切り換えられた前記補充媒体１ｂ　を搬送させて媒体収納部８ｂ−１に収納させる第１の搬送手段７ｂ−１と、方向切換手段６ｂ−１で搬送方向が移送口１０ｂ−１側へ切り換えられた前記補充媒体１ｂ　を搬送させて移送口１０ｂ−１から排出させる第２の搬送手段９ｂ−１と、第１の搬送手段７ｂ−１で搬送されてきた前記補充媒体１ｂ　を収納する媒体収納部８ｂ−１と、媒体収納部８ｂ−１から繰り出される収納媒体を媒体プリンタ部４へ供給するために当カセット外に排出するための繰出口１１ｂ−１とを備えて構成される。
【００２６】
第２のカセットで一番目の第２のカセット３ｂ−１は、第１のカセット３ａ　に対して、補充媒体１ｂ　の搬送下流側に隣接するように設置されている。更に、第２のカセット３ｂ−１に続く図示していない二番目の第２のカセット３ｂ−２は、第２のカセット３ｂ−１に対して、補充媒体１ｂ　の搬送下流側に隣接するように設置されている。三番目以降の第２のカセット（最後尾のものを３ｂ−ｎとする）については、前記第２のカセット３ｂ−１と第２のカセット３ｂ−２との設置関係に同じようにして設置される。
【００２７】
二番目以降の第２のカセットの構成については、前述した一番目の第２のカセット３ｂ−１の構成に同等であるため、説明を省略する。なお、最後尾の第２のカセット３ｂ−ｎについては、当カセット以降に第２のカセットが存在しないために補充媒体１ｂ　を次のカセットに送り渡すための排出の必要性がないことから、方向切換手段６ｂ−ｎ、第２の搬送手段９ｂ−ｎまたは移送口１０ｂ−ｎのいずれかまたは全てが無くても構わない。
【００２８】
方向切換手段６ｂ−ｎを無くす場合には、その方向切換手段６ｂ−ｎに代わって、受入口から搬入された補充媒体１ｂ　を第１の搬送手段７ｂ−ｎに導くために、例えば、搬送ローラの有無に拘らず搬送路のような搬送中継手段を少なくとも設ける構造にする。
なお、媒体発行装置２は、金融機関（銀行、信用金庫、郵便局など）や金融関係機関（生命保険会社など）などによって設置されるＡＴＭ（現金自動預入支払機）、通帳繰越機および証書発行機などである。また、補充媒体１ｂ　は、それら装置で使用される通帳、単票および証書などである。
【００２９】
図２は、本発明の一実施例のカセット構成図である。なお、図２は一実施例であるため、本発明の構成が満足され且つ課題解決がなされる範囲においては、図２の構成に対して構成ユニットの増減や配置関係の変更などの実施による派生的構成があっても構わない。
図２において、カセット３は、外部からの補充媒体１ｂ　が挿入される受入口であるところの補充挿入口５、または搬送上流側のカセットの移送口３１０から排出された補充媒体１ｂ　が搬入される受入口５ｂ　と、前記挿入または搬入された前記補充媒体１ｂ　を搬送下流側のカセットへ送り渡すために排出させるための移送口３１０とを備え、補充挿入口５または受入口５ｂ　のカセット内部側の位置には補充媒体１ｂ　の通過を検知するための通過検知センサ３９１が配設される。
【００３０】
搬送ローラ３９２−１，３９２−２，３９２−３は、図示していないモータにより回転駆動され、補充挿入口５または受入口５ｂ　からの補充媒体１ｂ　を吸入し、移送口３１０まで搬送して移送口３１０からカセット３の外へ前記補充媒体１ｂ　を排出する。ここでは、セパレータ３６０の下面に沿った空間が前記補充媒体１ｂ　を媒体収納部３８０へ導くための搬送路になっており、特に、搬送ローラ３９２−１は、前記補充媒体１ｂ　を吸入して媒体収納部３８０へ搬送する際にも回転駆動される。
【００３１】
セパレータ３６０は、例えばレバー状のものであって、その一方の端部近くに設けた支点を中心軸として他方の端部が上下に所定の範囲で回転駆動され、吸入された前記補充媒体１ａ　の搬送方向を切り換えるものであり、前記補充媒体１ｂ　を媒体収納部３８０側へ搬送する場合にセパレータ３６０−ｂ　側へ、また、移送口３１０側へ搬送する場合にはセパレータ３６０−ａ　側へ切り換えられる。
【００３２】
収納検知センサ３７１は、前記補充媒体１ｂ　が媒体収納部３８０側へ搬送されて媒体収納部３８０に収納されたことを検知する。媒体収納部３８０に収納された前記補充媒体１ｂ　は、収納媒体１ｃ　の一部となる。ウエイト３８１は、収納媒体１ｃ　を適度に押さえ付ける（ウエイト３８１−ａ　状態）ものであり、前記補充媒体１ｂ　を媒体収納部３８０に収納する際には、前記補充媒体１ｂ　の積上げの妨げとならないように、媒体収納部３８０の上部へと引き上げられる（ウエイト３８１−ｂ　状態）。
【００３３】
フル検知センサ３８２−１，３８２−２は媒体収納部３８０内の収納媒体１ｃ　の積層量がフル（収納限界）の状態を、また、ニヤエンド検知センサ３８３−１，３８３−２は収納媒体１ｃ　が終了間近の状態を、そして、エンド検知センサ３８４−１，３８４−２は収納媒体１ｃ　が完全終了の状態をそれぞれ検知する。なお、前記３種類の各センサは、発光および受光センサの対から成る光学センサとしているが、前記３つの状態が検知できるものであれば、その方式にはこだわらない。
【００３４】
繰出ローラ３８５は、図示していないモータにより回転駆動され、繰出ローラ３８５を媒体収納部３８０の最下部の収納媒体１ｃ　に接触させて回転させ、収納媒体１ｃ　を１つずつ繰り出す。なお、繰出ローラ３８５の配設位置はカセット３の内部または外部のいずれでも構わないが、ここではカセット３の外部、例えば前述した媒体発行ブロック上に配設されている。
【００３５】
繰出口３１１は、媒体収納部３８０から繰出ローラ３８５で繰り出される収納媒体１ｃ　を、前述した媒体プリンタ部へ供給するために当カセット外へ排出させるためのものである。
なお、本カセットが最後尾に設置される場合のカセットについては、搬送ローラ３９２−２，３９２−３、移送口３１０、セパレータ３６０などは無くてもよく、セパレータ３６０を無くす場合には、例えばセパレータ３６０が３６０−ａ　側に位置するような形態となる固定構造のものに置き換えて、受入口５ｂ　からの補充媒体１ｂ　が媒体収納部３８０に導かれるような搬送路（搬送中継手段）を確保すればよい。
【００３６】
図３は本発明の一実施例の媒体発行装置を示す図、図４は本発明の実施例の媒体補充処理を示すフローチャートの一部（その１）、図５は本発明の実施例の媒体補充処理を示すフローチャートの一部（その２）である。なお、図３では搭載カセット数を４つとしているが、２つ以上であればその数に限定されるものではない。
【００３７】
図３において、図中の各カセット内の構成は、前述した図２のカセット構成図に対応するため、図３での各構成の詳細な説明は省略する。媒体発行装置２は、媒体発行ブロック１５０上に搭載された＃１カセット３００ａ　，＃２カセット３００ｂ　，＃３カセット３００ｃ　，＃４カセット３００ｄのカセット群と、媒体プリンタ部４とを備える。
【００３８】
媒体発行ブロック１５０は、前記各カセット内の収納媒体１ｃ−１，１ｃ−２，１ｃ−３，１ｃ−４を繰り出すための繰出ローラ３８５ａ　，３８５ｂ　，３８５ｃ　，３８５ｄ　と、前記各カセットの繰出口３１１ａ　，３１１ｂ　，３１１ｃ　，３１１ｄ　から排出された収納媒体１ｃ−１，１ｃ−２，１ｃ−３，１ｃ−４を検知するための繰出検知センサ３８６ａ　，３８６ｂ　，３８６ｃ　，３８６ｄ　と、前記各カセットから排出された収納媒体１ｃ−１，１ｃ−２，１ｃ−３，１ｃ−４それぞれを媒体プリンタ部４まで搬送する搬送路１５１とを備える。
【００３９】
補充媒体１ｂ　を受け入れるために、＃１カセット３００ａ　は補充挿入口３５０ａ　を備え、＃１カセット３００ａ　を除く他の３つのカセットは受入口３５０ｂ　，３５０ｃ　，３５０ｄ　を備える。
前記４つの各カセット内には、通過検知センサ３９１ａ　，３９１ｂ　，３９１ｃ　，３９１ｄ　と、搬送ローラ３９２ａ−１，３９２ｂ−１，３９２ｃ−１，３９２ｄ−１と、セパレータ３６０ａ　，３６０ｂ　，３６０ｃ　，３６０ｄ　と、収納検知センサ３７１ａ　，３７１ｂ　，３７１ｃ　，３７１ｄ　と、媒体収納部３８０ａ　，３８０ｂ　，３８０ｃ　，３６０ｄ　とを備える。
【００４０】
更に前記４つの各カセット内には、前記各媒体収納部の周辺にフル検知センサ３８２ａ　，３８２ｂ　，３８２ｃ　，３８２ｄ　と、ニヤエンド検知センサ３８３ａ　，３８３ｂ　，３８３ｃ　，３８３ｄ　と、エンド検知センサ３８４ａ　，３８４ｂ　，３８４ｃ　，３８４ｄ　とを備える。
媒体プリンタ部４は、発行媒体１ａ　が挿入される挿入口４１と、ＭＳ部４３ａ　と、光学スキャナ部４４ａ　と、印字部４５ａ　と、ターンページ部４６ａ　と、発行媒体１ａ　および媒体発行ブロック１５０の搬送路１５１からの収納媒体１ｃ−１，１ｃ−２，１ｃ−３，１ｃ−４のそれぞれを搬送する搬送路４２ａ　とを備える。
【００４１】
以上は本発明の媒体発行装置およびカセットの各部の構成と機能を説明したが、以下に、図４および図５を参照して処理動作を説明する。
図４および図５は、いずれも本発明の実施例の媒体補充処理を示すフローチャートの一部であり、両図によって本発明の媒体補充処理の全体を示すフローチャートとなる。両図中の符号Ｓは、処理のステップを表わす記号である。
【００４２】
図４において、媒体発行装置２は、先ず最初に外部の上位装置から媒体補充指令を受信する（Ｓ１０）。その際の前記媒体補充指令には、補充対象先カセットを指示するカセット指定と、前記補充対象先カセットへの補充媒体数を指示する補充媒体数指定の付属情報を伴う。
前記媒体補充指令は、上位装置が通帳発行装置２内のカセットそれぞれの収納媒体量を認識することにより、自動的または行員判断による操作指示によって上位装置から発行される。上位装置での前記収納媒体量の認識は、各カセット内のフル検知センサ、ニヤエンド検知センサまたはエンド検知センサによる検知情報に基づいて、或いはそれら検知情報とカセット繰出し媒体計数値とに基づいて行われる。
【００４３】
次に、上位装置から補充中止指令を受信しているか否かを判定する（Ｓ１１）。前記補充中止指令は、前記媒体補充指令による媒体補充を、何らかの要因（例えば、行員作業状況による補充中断）によって中止する必要が生じた際に発行される指令である。
前記ステップＳ１１で前記補充中止指令の受信が有りと判定（Ｙｅｓ　判定）された場合は、媒体補充処理を中止して上位装置へ媒体補充処理の終了を通知し（Ｓ２５）、媒体補充処理の全動作を完了させる。
【００４４】
一方、前記ステップＳ１１で前記補充中止指令の受信が無いと判定（Ｎｏ判定）された場合には、次に、補充媒体１ｂ　が補充挿入口３５０ａ　に挿入されているか否かを判定する（Ｓ１２）。具体的には、補充挿入口３５０ａ　の媒体下流側直後に配設された通過検知センサ３９１ａ　によって検知される補充媒体１ｂ　の有無検知信号に基づいて、判定される。
【００４５】
前記ステップＳ１２で挿入無しと判定（Ｎｏ判定）された場合は、前記ステップＳ１１に戻り、前記補充中止命令の有無を判定後、再度、前記ステップＳ１２で補充媒体１ｂ　の挿入の有無を判定する。一方、前記ステップＳ１２で挿入有りと判定（Ｙｅｓ　判定）された場合には、＃１カセット３００ａ　内の搬送ローラ３９２ａ−１，３９２ａ−２，３９２ａ−３を回転させ、補充挿入口３５０ａ　に挿入されている補充媒体１ｂ　を吸入して搬送する（Ｓ１３）。
【００４６】
ステップＳ１３に引き続いて、前記補充媒体１ｂ　の補充対象先カセットが＃１カセット３００ａ　か否かを判定する（Ｓ１４）。具体的には、上位装置からの前記媒体補充指令の付属情報であるカセット指定に基づいて判定される。
前記ステップＳ１４で補充対象先が＃１カセット３００ａ　と判定（Ｙｅｓ　判定）された場合は、前記補充媒体１ｂ　が媒体収納部３８０ａ　へ搬送される側にセパレータ３６０ａ　を切り換える（Ｓ１５）。
【００４７】
次に、セパレータ３６０ａ　を通過して媒体収納部３８０ａ　に搬送されて来た前記補充媒体１ｂ　が、媒体収納部３８０ａ　に収納されたか否かを判定する（Ｓ１６）。具体的には、収納検知センサ３７１ａ　による前記補充媒体１ｂ　の先端到達検知と、その後の前記補充媒体１ｂ　の後端検知とに基づいて判定される。
前記ステップＳ１６で収納完了待ちと判定（Ｎｏ判定）された場合は、ステップＳ１６の判定を繰り返し、収納完了を待つ。しかし、その繰り返しが所定時間経過しても行われる場合は、図中に記載していないが、所定のエラー（例えば、媒体収納エラー）を発生し、処理をエラー終了させてその旨を上位装置へ通知する。前記ステップＳ１６で収納完了と判定（Ｙｅｓ　判定）された場合には、前記ステップＳ１３で回転させた搬送ローラ３９２ａ−１，３９２ａ−２，３９２ａ−３の回転を停止させる。
【００４８】
その後、媒体補充先である＃１カセット３００ａ　内への補充媒体数を計数している補充媒体計数値（デジタル的なカウンタなど）を、例えばプラス１などして更新する（Ｓ１８）。
次に、媒体収納部３８０ａ　内の収納媒体１ｃ−１がフルの状態か否かを判定する（Ｓ１９）。具体的には、フル検知センサ３８２ａ　が収納媒体１ｃ−１を検知か否かで判定される。
【００４９】
前記ステップＳ１９でフル状態と判定（Ｙｅｓ　判定）された場合は、＃１カセット３００ａ　内の媒体収納部３８０ａ　への更なる媒体補充は不可能なため、媒体補充処理を終了させて上位装置へ媒体補充処理の終了を通知し（Ｓ２５）、媒体補充処理の全動作を完了させる。
しかし、前記ステップＳ１９でフル状態にないと判定（Ｎｏ判定）された場合には、前記ステップＳ１８　で更新された補充媒体計数値が、上位装置からの前記媒体補充指令の付属情報である補充媒体数指定の指定値に到達したか否かを判定する（Ｓ２０）。
【００５０】
前記ステップＳ２０で未到達と判定（Ｎｏ判定）された場合は、＃１カセット３００ａ　への更なる媒体補充があるものと判断し、前記ステップＳ１１へと戻り、次に挿入される補充媒体１ｂ　に備える。しかし、前記ステップＳ２０で到達と判定（Ｙｅｓ　判定）された場合は、＃１カセット３００ａ　への媒体補充は今回の補充媒体１ｂ　が最後と判断し、媒体補充処理を終了させて上位装置へ媒体補充処理の終了を通知し（Ｓ２５）、媒体補充処理の全動作を完了させる。
【００５１】
先の前記ステップＳ１４で補充対象先が＃１カセット３００ａ　以外と判定（Ｎｏ判定）された場合には、前記補充媒体１ｂ　が移送口３１０ａ　へ搬送される側にセパレータ３６０ａ　を切り換える（Ｓ２１）。
その後、セパレータ３６０ａ　を通過して搬送されて来た前記補充媒体１ｂ　を移送口３１０ａ　から排出する（Ｓ２２）。移送口３１０ａ　から前記補充媒体１ｂ　を排出し終えた時点（移送口３１０ａ　に最も近い搬送ローラ３９２ａ−３を前記補充媒体１ｂ　が通過後）に、前記ステップＳ１３で回転させた＃１カセット３００ａ　内の搬送ローラ３９２ａ−１，３９２ａ−２，３９２ａ−３の回転を停止させる（Ｓ２３）。移送口３１０ａ　から排出された前記補充媒体１ｂ　は、媒体下流側の次段カセットである＃２カセット３００ｂ　へと送り渡され、図５に図示する＃２カセット３００ｂ　内の処理へと移行する。
【００５２】
図５において、＃１カセット３００ａ　の移送口３１０ａ　から排出されて＃２カセット３００ｂ　へと送り渡された前記補充媒体１ｂ　が、＃２カセット３００ｂ　の受入口３５０ｂ　に到達したか否かを判定する（Ｓ３０）。具体的には、受入口３５０ｂ　の媒体下流側直後に配設された通過検知センサ３９１ｂ　が検知する補充媒体１ｂ　の有無検知信号に基づいて、判定される。
【００５３】
前記ステップＳ３０で到達無しと判定（Ｎｏ判定）された場合は、ステップＳ３０の判定を繰り返し、前記補充媒体１ｂ　の到達を待つ。しかし、その繰り返しが所定時間経過しても行われる場合は、図中に記載していないが、所定のエラー（例えば、媒体搬送エラー）を発生し、処理をエラー終了させてその旨を上位装置へ通知する。
【００５４】
一方、前記ステップＳ３０で到達有りと判定（Ｙｅｓ　判定）された場合には、＃２カセット３００ｂ　内の搬送ローラ３９２ｂ−１，３９２ｂ−２，３９２ｂ−３を回転させ、受入口３５０ｂ　に到達している補充媒体１ｂ　を吸入して搬送する（Ｓ３１）。
ステップＳ３１に引き続いて、前記補充媒体１ｂ　の補充対象先カセットが＃２カセット３００ｂ　か否かを判定する（Ｓ３２）。具体的には、上位装置からの前記媒体補充指令の付属情報であるカセット指定に基づいて判定される。
【００５５】
前記ステップＳ３２で補充対象先が＃２カセット３００ｂ　と判定（Ｙｅｓ　判定）された場合は、前記補充媒体１ｂ　が媒体収納部３８０ｂ　へ搬送される側にセパレータ３６０ｂ　を切り換える（Ｓ３３）。
次に、セパレータ３６０ｂ　を通過して媒体収納部３８０ｂ　に搬送されて来た前記補充媒体１ｂ　が、媒体収納部３８０ｂ　に収納されたか否かを判定する（Ｓ３４）。具体的には、収納検知センサ３７１ｂ　による前記補充媒体１ｂ　の先端到達検知と、その後の前記補充媒体１ｂ　の後端検知とに基づいて判定される。
【００５６】
前記ステップＳ３４で収納完了待ちと判定（Ｎｏ判定）された場合は、ステップＳ３４の判定を繰り返し、収納完了を待つ。しかし、その繰り返しが所定時間経過しても行われる場合は、図中に記載していないが、所定のエラー（例えば、媒体収納エラー）を発生し、処理をエラー終了させてその旨を上位装置へ通知する。前記ステップＳ３４で収納完了と判定（Ｙｅｓ　判定）された場合には、前記ステップＳ３１で回転させた搬送ローラ３９２ｂ−１，３９２ｂ−２，３９２ｂ−３の回転を停止させる。
【００５７】
その後、媒体補充先である＃２カセット３００ｂ　内への補充媒体数を計数している補充媒体計数値（デジタル的なカウンタなど）を、例えばプラス１などして更新する（Ｓ３６）。
次に、媒体収納部３８０ｂ　内の収納媒体１ｃ−２がフルの状態か否かを判定する（Ｓ３７）。具体的には、フル検知センサ３８２ｂ　が収納媒体１ｃ−２を検知か否かで判定される。
【００５８】
前記ステップＳ３７でフル状態と判定（Ｙｅｓ　判定）された場合は、＃２カセット３００ｂ　内の媒体収納部３８０ｂ　への更なる媒体補充は不可能なため、媒体補充処理を終了させて上位装置へ媒体補充処理の終了を通知し（Ｓ２５）、媒体補充処理の全動作を完了させる。
しかし、前記ステップＳ３７でフル状態にないと判定（Ｎｏ判定）された場合には、前記ステップＳ３６で更新された補充媒体計数値が、上位装置からの前記媒体補充指令の付属情報である補充媒体数指定の指定値に到達したか否かを判定する（Ｓ３８）。
【００５９】
前記ステップＳ３８で未到達と判定（Ｎｏ判定）された場合は、＃２カセット３００ｂ　への更なる媒体補充があるものと判断し、図４に記載の前記ステップＳ１１へと戻り、次に挿入される補充媒体１ｂ　に備える。しかし、前記ステップＳ３８で到達と判定（Ｙｅｓ　判定）された場合は、＃２カセット３００ｂ　への媒体補充は今回の補充媒体１ｂ　が最後と判断し、媒体補充処理を終了させて上位装置へ媒体補充処理の終了を通知し（Ｓ２５）、媒体補充処理の全動作を完了させる。
【００６０】
先の前記ステップＳ３２で補充対象先が＃２カセット３００ｂ　以外と判定（Ｎｏ判定）された場合には、前記補充媒体１ｂ　が移送口３１０ｂ　へ搬送される側にセパレータ３６０ｂ　を切り換える（Ｓ４１）。
その後、セパレータ３６０ｂ　を通過して搬送されて来た前記補充媒体１ｂ　を移送口３１０ｂ　から排出する（Ｓ４２）。移送口３１０ｂ　から前記補充媒体１ｂ　を排出し終えた時点（移送口３１０ｂ　に最も近い搬送ローラ３９２ｂ−３を前記補充媒体１ｂ　が通過後）に、前記ステップＳ３１で回転させた＃２カセット３００ｂ　内の搬送ローラ３９２ｂ−１，３９２ｂ−２，３９２ｂ−３の回転を停止させる（Ｓ４３）。移送口３１０ｂ　から排出された前記補充媒体１ｂ　は、媒体下流側の次段カセットである＃３カセット３００ｃ　へと送り渡され、＃３カセット３００ｃ　の処理へと移行する。
【００６１】
＃３カセット３００ｃ　へ前記補充媒体１ｂ　が引き継がれた後の＃３カセット３００ｃ　での処理、更にその次に引き継がれた場合の＃４カセット３００ｄ　での処理は、いずれも図５で説明した前述の処理に同様のため、説明は省略する。
なお、前記補充媒体１ｂ　がいずれかのカセットの媒体収納部内に収納され、各収納媒体１ｃ−１，１ｃ−２，１ｃ−３，１ｃ−４の一部となった後は、必要に応じていずれかの媒体収納部の繰出口３１１ａ　，３１１ｂ　，３１１ｃ　，３１１ｄ　から収納媒体が繰り出されて媒体発行ブロック１５０の搬送路１５１を経由して媒体プリンタ部４へと送り込まれる。
【００６２】
繰出口３１１ａ　，３１１ｂ　，３１１ｃ　，３１１ｄ　から排出される前記収納媒体１ｃ−１，１ｃ−２，１ｃ−３，１ｃ−４は繰出検知センサ３８６ａ　，３８６ｂ　，３８６ｃ　，３８６ｄ　でそれぞれ監視され、前記収納媒体の繰出し開始から先端到達検知までや、前記先端到達から後端到達検知までがそれぞれの所定時間内に得られない場合には、繰出しミスや媒体搬送不良が生じたものと判断し、所定のエラー（例えば、繰出エラー）を発生し、処理をエラー終了させてその旨を上位装置へ通知する。
【００６３】
媒体プリンタ部４に送り込まれた収納媒体のためのその後の処理と、挿入口４１から挿入された発行媒体１ａ　のための処理は、いずれも前述した従来の媒体発行装置２２の媒体プリンタ部２４に同様のため、説明は省略する。
以上の各カセットの一連の処理によって、補充挿入口３５０ａ　から挿入された補充媒体１ｂ　を所望のカセットの媒体収納部に収納させる。
【００６４】
なお、図４および図５の媒体補充処理を示すフローチャートは、処理説明のための一実施例であるため、本発明の機能や効果を発揮できるものであれば、両図のフローチャートには限定されない。例えば、図４および図５では、説明の便宜上、補充挿入口３５０ａ　から挿入された補充媒体１ｂ　を所定のカセットに収納し終わるまで、最初の補充媒体１ｂ　に引き続き直ちに挿入された補充媒体１ｂ　の処理を開始しない。しかし、媒体補充の作業能率向上のためには並行して処理させることが望ましいため、各々の補充媒体１ｂ　の媒体補充処理に不都合を生じない範囲で並行処理させることは構わない。
【００６５】
以上の一連の処理によって、収納媒体が不足状態になったいずれのカセットにも、補充媒体が補充できる。
【００６６】
【発明の効果】
以上説明したように、本発明によれば、カセット内の収納媒体が不足状態になった場合、各カセットが搭載された媒体発行ブロックを媒体発行装置から引き出すことなく、媒体発行装置の行員操作面側に設けられた補充挿入口から補充媒体を挿入し、所望するいずれのカセットの媒体収納部にも前記補充媒体を収納できる。
【００６７】
したがって、本発明を適用した媒体発行装置を設置する金融機関などでは、媒体発行装置の顧客サービス運用を停止することなく補充媒体が補充できるため、媒体補充に伴う顧客サービスの低下が回避できる。
【図面の簡単な説明】
【図１】本発明の媒体発行装置の原理構成図
【図２】本発明の一実施例のカセット構成図
【図３】本発明の一実施例の媒体発行装置を示す図
【図４】本発明の実施例の媒体補充処理を示すフローチャートの一部（その１）
【図５】本発明の実施例の媒体補充処理を示すフローチャートの一部（その２）
【図６】従来の媒体発行装置の構成図
【図７】従来の媒体発行装置の外観側面図（断面図）
【符号の説明】
１ａ　発行媒体
１ｂ　補充媒体
１ｃ　収納媒体
２，２２　媒体発行装置
３　カセット
３ａ　　第１のカセット
３ｂ−１，３ｂ−ｎ　第２のカセット
４，２４　媒体プリンタ部
５　補充挿入口
５ｂ　，５ｂ−１，５ｂ−ｎ　受入口
６ａ　，６ｂ−１，６ｂ−ｎ　方向切換手段
７ａ　，７ｂ−１，７ｂ−ｎ　第１の搬送手段
８ａ　，８ｂ−１，８ｂ−ｎ　媒体収納部
９ａ　，９ｂ−１，９ｂ−ｎ　第２の搬送手段
１０ａ　，１０ｂ−１，１０ｂ−ｎ　移送口
１１ａ　，１１ｂ−１，１１ｂ−ｎ　繰出口
１５，１５０　媒体発行ブロック
１６　操作パネル
２３−１，２３−２，２３−３，２３−４，２３−ｎ　カセット
４１，２４１　挿入口
３００ａ　　＃１カセット
３００ｂ　　＃２カセット
３００ｃ　　＃３カセット
３００ｄ　　＃４カセット
３１０ａ　，３１０ｂ　，３１０ｃ　，３１０ｄ　　移送口
３１１ａ　，３１１ｂ　，３１１ｃ　，３１１ｄ　　繰出口
３５０ａ　　補充挿入口
３５０ｂ　，３５０ｃ　，３５０ｄ　　受入口
３６０ａ　，３６０ｂ　，３６０ｃ　，３６０ｄ　　セパレータ
３７１ａ　，３７１ｂ　，３７１ｃ　，３７１ｄ　　収納検知センサ
３８０ａ　，３８０ｂ　，３８０ｃ　，３８０ｄ　　媒体収納部
３８１−ａ，３８１−ｂ　ウエイト
３８２ａ　，３８２ｂ　，３８２ｃ　，３８２ｄ　　フル検知センサ
３８３ａ　，３８３ｂ　，３８３ｃ　，３８３ｄ　　ニヤエンド検知センサ
３８４ａ　，３８４ｂ　，３８４ｃ　，３８４ｄ　　エンド検知センサ
３８５ａ　，３８５ｂ　，３８５ｃ　，３８５ｄ　　繰出ローラ
３８６ａ　，３８６ｂ　，３８６ｃ　，３８６ｄ　　繰出検知センサ
３９１ａ　，３９１ｂ　，３９１ｃ　，３９１ｄ　　通過検知センサ
３９２ａ−１，３９２ａ−２，３９２ａ−３　搬送ローラ
３９２ｂ−１，３９２ｂ−２，３９２ｂ−３　搬送ローラ
３９２ｃ−１，３９２ｃ−２，３９２ｃ−３　搬送ローラ
【図１】
2004054613.tif 000003
【図２】
2004054613.tif 000004
【図３】
2004054613.tif 000005
【図４】
2004054613.tif 000006
【図５】
2004054613.tif 000007
【図６】
2004054613.tif 000008
【図７】
2004054613.tif 000009